(57)【特許請求の範囲】
【請求項１】
撮像素子からの映像信号を、第１周波数およびこの第１周波数より高い第２周波数のいずれかのクロックレートのクロックによってディジタル化するアナログ／ディジタル変換手段と、
このアナログ／ディジタル変換手段からのディジタル映像信号から、画像の垂直方向の輪郭を強調するための垂直ディテール信号を生成する垂直ディテールフィルタ部と、
この垂直ディテールフィルタ部からの垂直ディテール信号を前記ディジタル映像信号に加算する加算手段とを備え、
前記垂直ディテールフィルタ部は、
前記クロックレートが前記第１周波数であるときに前記ディジタル映像信号中の副搬送波周波数成分を抽出するフィルタ特性の第１ディジタルフィルタと、
この第１ディジタルフィルタの出力信号が入力され、前記クロックレートが前記第２周波数であるときに前記ディジタル映像信号中の副搬送波周波数成分を抽出するフィルタ特性の第２ディジタルフィルタと、
前記クロックレートが前記第１周波数であるときには前記第１ディジタルフィルタの出力信号を選択し、前記クロックレートが前記第２周波数であるときには前記第２ディジタルフィルタの出力信号を選択する選択手段と、
この選択手段によって選択された信号を前記垂直ディテール信号から減算する減算手段とを有するビデオカメラ。
【請求項２】
請求項１のビデオカメラにおいて、
前記撮像素子が固体撮像素子とされ、その固体撮像素子の画素数に応じて、前記クロックレートが前記第１周波数および前記第２周波数のいずれかに切り替えられるビデオカメラ。
【発明の詳細な説明】
【０００１】
【発明の属する技術分野】
この発明は、撮像素子からの映像信号をディジタル化して処理する、業務用ビデオカメラなどのビデオカメラの、特に輪郭強調処理部分に関する。
【０００２】
【従来の技術】
ビデオカメラ、特に高画質の映像出力が要求される業務用ないし放送用のビデオカメラでは、撮像素子から得られた映像信号に対して画像の輪郭を強調するための処理がなされる。この輪郭強調処理は、イメージエンハンス、アパーチャ、ディテールなどと称される、
具体的に、映像信号がディジタル処理されるビデオカメラでは、例えばＣＣＤ固体撮像素子によって被写体像が撮影されて得られたＲ（赤），Ｇ（緑），Ｂ（青）チャンネルの映像信号がディジタル化され、そのディジタル化された本線の映像信号からディジタル化された輪郭強調のための信号が生成され、その生成された輪郭強調信号が本線の映像信号に加算される。
【０００３】
この場合、画像の垂直方向の輪郭を強調するための信号中に副搬送波周波数の成分、すなわちＮＴＳＣ方式用のビデオカメラでは３．５８ＭＨｚの成分が存在すると、これが本線の映像信号に加算されることによって、ビデオカメラの映像出力においてクロスカラー妨害を生じる。そのため、本線の映像信号から輪郭強調信号を生成する信号生成部には、これから得られる垂直方向の輪郭強調信号中の副搬送波周波数成分を抑圧するためのフィルタが設けられる。
【０００４】
なお、ビデオカメラの輪郭強調処理に関して、特開平６−４６４４４号には、本線の映像信号のレベル変化が大きい所で、輪郭強調信号の加算後の映像信号がダイナミックレンジを超えることによりクリップされて、画像の品質を損ねることがないように、輪郭強調信号の振幅を制限することが示されている。
【０００５】
また、特開平３−２７７０８９号公報には、本線の映像信号から人の肌の色などの特定色の画像部分を検出し、その特定色の画像部分では輪郭強調信号を抑圧することによって、人の顔などの部分の輪郭が強調されるのを回避することが示されている。
【０００６】
さらに、特開平６−５４２３２号には、比較的低解像度の映像信号でよいＶＴＲでの記録用に、低クロックレートの輪郭強調信号を、ガンマ・ニー補正前およびガンマ・ニー補正後の映像信号に加算するとともに、高解像度の映像信号が要求されるカメラ出力用に、高クロックレートの輪郭強調信号を、ガンマ・ニー補正後の映像信号からマトリクス回路により得られてアップコンバータによりクロックレートが高められた輝度信号に加算することが示されている。
【０００７】
また、ビデオカメラに関して、Ｒ，ＢチャンネルのＣＣＤ固体撮像素子をＧチャンネルのＣＣＤ固体撮像素子に対して水平方向に１／２画素ピッチ分ずらして配置する、いわゆる空間画素ずらし法によって高解像度の映像出力を得ることが知られており、特開平６−２１７３２６号や特開平６−１５３２１７号などにも示されている。
【０００８】
また、この特開平６−２１７３２６号や特開平６−１５３２１７号などには、シェーディング補正をディジタル処理により行い、かつビート妨害の発生を防止するなどのために、ＣＣＤ固体撮像素子を駆動するクロックレートとＣＣＤ固体撮像素子からの映像信号をディジタル化する際のクロックレートとを一致させることが示されている。
【０００９】
さらに、この特開平６−２１７３２６号や特開平６−１５３２１７号などには、上記の空間画素ずらし法を用いた場合に、ＣＣＤ固体撮像素子を駆動するクロックレートと等しいクロックレートでディジタル化した映像信号を、その後、ＣＣＤ固体撮像素子を駆動するクロックレートの２倍のクロックレートで処理することが示されている。
【００１０】
【発明が解決しようとする課題】
業務用ビデオカメラのＣＣＤ固体撮像素子は、例えば４０万画素とされているが、高解像度の要求によって５０万画素とされたものもある。
【００１１】
そこで、ビデオカメラとして、例えば、色分解プリズムやＣＣＤ固体撮像素子などからなる撮像部を、ＣＣＤ固体撮像素子からの映像信号を処理して出力するカメラ本体に対して着脱可能に構成し、そのカメラ本体に対して、４０万画素のＣＣＤ固体撮像素子を有する撮像部と５０万画素のＣＣＤ固体撮像素子を有する撮像部とを交換して用いることができるようにしたものが考えられる。
【００１２】
この場合、４０万画素のＣＣＤ固体撮像素子を有する撮像部を用いるときには、そのＣＣＤ固体撮像素子を駆動し、ＣＣＤ固体撮像素子からの映像信号をディジタル化するクロックレートｆｓ１を例えば１４．３ＭＨｚとし、５０万画素のＣＣＤ固体撮像素子を有する撮像部を用いるときには、上記のクロックレートｆｓ１を例えば１８ＭＨｚとするというように、使用する撮像部のＣＣＤ固体撮像素子の画素数に応じて上記のクロックレートｆｓ１を変える必要がある。
【００１３】
しかし、上述した垂直方向の輪郭強調信号中の副搬送波周波数成分を抑圧するためのフィルタは、ディジタル化された本線の映像信号からディジタル化された輪郭強調信号を生成する信号生成部に、ディジタルフィルタとして設けられる。
【００１４】
そのため、このディジタルフィルタを、例えばＣＣＤ固体撮像素子が４０万画素で、上記のクロックレートｆｓ１を例えば１４．３ＭＨｚとするときに、３．５８ＭＨｚの周波数成分を最大に抑圧するフィルタ特性のものとする場合には、例えばＣＣＤ固体撮像素子が５０万画素で、上記のクロックレートｆｓ１を例えば１８ＭＨｚとするときには、そのディジタルフィルタは、３．５８ＭＨｚ×（１８ＭＨｚ／１４．３ＭＨｚ）＝４．５１ＭＨｚの周波数成分を最大に抑圧するものとなって、３．５８ＭＨｚの周波数成分が十分に抑圧されず、ビデオカメラの映像出力においてクロスカラー妨害を生じる。
【００１５】
そのディジタルフィルタを、例えばＣＣＤ固体撮像素子が５０万画素で、上記のクロックレートｆｓ１を例えば１８ＭＨｚとするときに、３．５８ＭＨｚの周波数成分を最大に抑圧するフィルタ特性のものとする場合でも、同様である。
【００１６】
そこで、この発明は、撮像素子からの映像信号をディジタル化して処理する、業務用ビデオカメラなどのビデオカメラにおいて、固体撮像素子の画素数などに応じて映像信号のクロックレートを変える場合でも、常に垂直方向の輪郭強調信号中の副搬送波周波数成分が十分抑圧され、ビデオカメラの映像出力においてクロスカラー妨害が十分軽減されるようにしたものである。
【００１７】
【課題を解決するための手段】
この発明のビデオカメラは、
撮像素子からの映像信号を、第１周波数およびこの第１周波数より高い第２周波数のいずれかのクロックレートのクロックによってディジタル化するアナログ／ディジタル変換手段と、
このアナログ／ディジタル変換手段からのディジタル映像信号から、画像の垂直方向の輪郭を強調するための垂直ディテール信号を生成する垂直ディテールフィルタ部と、
この垂直ディテールフィルタ部からの垂直ディテール信号を前記ディジタル映像信号に加算する加算手段とを備え、
前記垂直ディテールフィルタ部は、
前記クロックレートが前記第１周波数であるときに前記ディジタル映像信号中の副搬送波周波数成分を抽出するフィルタ特性の第１ディジタルフィルタと、
この第１ディジタルフィルタの出力信号が入力され、前記クロックレートが前記第２周波数であるときに前記ディジタル映像信号中の副搬送波周波数成分を抽出するフィルタ特性の第２ディジタルフィルタと、
前記クロックレートが前記第１周波数であるときには前記第１ディジタルフィルタの出力信号を選択し、前記クロックレートが前記第２周波数であるときには前記第２ディジタルフィルタの出力信号を選択する選択手段と、
この選択手段によって選択された信号を前記垂直ディテール信号から減算する減算手段とを有するものである。
【００１８】
上記のように構成した、この発明のビデオカメラでは、撮像素子からの映像信号をディジタル化するクロックレートが第１周波数とされるときには、垂直ディテールフィルタ部において、第１ディジタルフィルタの出力信号が、選択手段により選択され、減算手段により垂直ディテール信号から減算されることによって、最終的に垂直ディテールフィルタ部の出力の垂直ディテール信号中において副搬送波周波数成分が十分抑圧され、撮像素子からの映像信号をディジタル化するクロックレートが第２周波数とされるときには、垂直ディテールフィルタ部において、第２ディジタルフィルタの出力信号が、選択手段により選択され、減算手段により垂直ディテール信号から減算されることによって、最終的に垂直ディテールフィルタ部の出力の垂直ディテール信号中において副搬送波周波数成分が十分抑圧される。
【００１９】
【発明の実施の形態】
図１および図２は、この発明のビデオカメラの一例の全体構成を示し、便宜上、２図に分けて示したものである。
【００２０】
この例のビデオカメラは、全体として撮像部１０とカメラ本体２０とからなり、撮像部１０は、カメラ本体２０に対して着脱可能に構成され、例えば４本のねじによりカメラ本体２０に対して機械的に連結されるとともに、コネクタまたはフレキシブルケーブルなどのケーブルを通じてカメラ本体２０と電気的に接続される。
【００２１】
撮像部１０は、撮像レンズ１１と撮像ブロック１２とからなり、撮像ブロック１２は、撮像レンズ１１を通じて入射した光をＲ，Ｇ，Ｂの色光に分解する色分解プリズム１３、この色分解プリズム１３によって分解されたＲ，Ｇ，Ｂの色光が入射して被写体の赤色画像、緑色画像、青色画像が結像されるＣＣＤ固体撮像素子１４Ｒ，１４Ｇ，１４Ｂ、このＣＣＤ固体撮像素子１４Ｒ，１４Ｇ，１４Ｂを駆動するＣＣＤドライバ１５、および後述するデータが書き込まれるＥＥＰＲＯＭ（電気的に消去および書き替えが可能なＲＯＭ）１６などを備える。
【００２２】
撮像部１０としては、ＣＣＤ固体撮像素子１４Ｒ，１４Ｇ，１４Ｂが４０万画素のものと５０万画素のものとを交換して用いることができ、ＥＥＰＲＯＭ１６には、そのＣＣＤ固体撮像素子１４Ｒ，１４Ｇ，１４Ｂの画素数のデータ、およびその他のセットアップデータが、あらかじめ書き込まれる。
【００２３】
カメラ本体２０には、マイクロコンピュータなどからなる後述するような制御部３０が設けられ、撮像部１０をカメラ本体２０に対して装着接続して、カメラ本体２０の電源を投入することによって、その制御部３０によりＥＥＰＲＯＭ１６からＣＣＤ固体撮像素子１４Ｒ，１４Ｇ，１４Ｂの画素数のデータなどのセットアップデータが読み出され、そのデータにもとづいて撮像部１０およびカメラ本体２０が自動的にセットアップされる。
【００２４】
そして、ＣＣＤ固体撮像素子１４Ｒ，１４Ｇ，１４Ｂが４０万画素の場合には、制御部３０からのデータによりＣＣＤドライバ１５は、ｆｓ１＝１４．３ＭＨｚ（正確には１４．３１８１８ＭＨｚ）のクロックレートでＣＣＤ固体撮像素子１４Ｒ，１４Ｇ，１４Ｂを駆動し、ＣＣＤ固体撮像素子１４Ｒ，１４Ｇ，１４Ｂが５０万画素の場合には、制御部３０からのデータによりＣＣＤドライバ１５は、ｆｓ１＝１８ＭＨｚ（正確に１８．００ＭＨｚ）のクロックレートでＣＣＤ固体撮像素子１４Ｒ，１４Ｇ，１４Ｂを駆動する。
【００２５】
撮像部１０では、ＢチャンネルのＣＣＤ固体撮像素子１４Ｂが、Ｒ，ＧチャンネルのＣＣＤ固体撮像素子１４Ｒ，１４Ｇに対して、垂直方向に１画素ピッチ分ずれて配置され、これにより、ＣＣＤ固体撮像素子１４Ｂから得られるＢチャンネルの映像信号Ｂａは、ＣＣＤ固体撮像素子１４Ｒ，１４Ｇから得られるＲ，Ｇチャンネルの映像信号Ｒａ，Ｇａに対して１Ｈ（１水平周期）遅延したものとなる。
【００２６】
上記のようにカメラ本体２０には制御部３０が設けられ、その制御部３０は、ＣＰＵ３１、このＣＰＵ３１が実行すべき制御プログラムなどが書き込まれたＲＯＭ３２、ＣＰＵ３１のワークエリアとして機能するＲＡＭ３３、および上記のＥＥＰＲＯＭ１６から読み出されたデータが書き込まれるＲＡＭ３４を備える。
【００２７】
制御部３０からは、撮像部１０のＣＣＤドライバ１５に対してだけでなく、カメラ本体２０の各部に、後述するようなクロックおよび制御信号が供給される。制御部３０に対しては、ユーザが必要な設定や指示をする操作パネル４０が接続される。
【００２８】
撮像部１０のＣＣＤ固体撮像素子１４Ｒ，１４Ｇ，１４Ｂから得られた映像信号Ｒａ，Ｇａ，Ｂａは、カメラ本体２０に取り込まれて、カメラ本体２０内のアナログプロセス回路５１Ｒ，５１Ｇ，５１Ｂにおいて、ＣＤＳ（相関二重サンプリング）によりリセット雑音が低減されるなどの処理がなされる。
【００２９】
アナログプロセス回路５１Ｒ，５１Ｇ，５１Ｂからの映像信号は、Ａ／Ｄコンバータ５２Ｒ，５２Ｇ，５２Ｂにより、ＣＣＤ固体撮像素子１４Ｒ，１４Ｇ，１４Ｂの画素数に応じてｆｓ１＝１４．３ＭＨｚまたはｆｓ１＝１８ＭＨｚのクロックレートでサンプリングされ、Ａ／Ｄ変換される。
【００３０】
Ａ／Ｄコンバータ５２Ｒからのディジタル化されたＲチャンネルの映像信号Ｒ０は、遅延回路５３Ｒにより１Ｈ遅延され、さらに遅延回路５３Ｒからの映像信号Ｒ１は、遅延回路５４Ｒにより１Ｈ遅延される。同様に、Ａ／Ｄコンバータ５２Ｇからのディジタル化されたＧチャンネルの映像信号Ｇ０は、遅延回路５３Ｇにより１Ｈ遅延され、さらに遅延回路５３Ｇからの映像信号Ｇ１は、遅延回路５４Ｇにより１Ｈ遅延される。
【００３１】
上記のように、ＣＣＤ固体撮像素子１４ＢからのＢチャンネルの映像信号Ｂａは、ＣＣＤ固体撮像素子１４Ｒ，１４ＧからのＲ，Ｇチャンネルの映像信号Ｒａ，Ｇａに対して１Ｈ遅延するので、Ａ／Ｄコンバータ５２Ｂからのディジタル化されたＢチャンネルの映像信号Ｂ１は、遅延回路５３Ｒ，５３Ｇからのディジタル化されたＲ，Ｇチャンネルの映像信号Ｒ１，Ｇ１に対して時間的に一致したものとなる。
【００３２】
そして、Ａ／Ｄコンバータ５２Ｒ，５２Ｇ，５２Ｂからの映像信号Ｒ０，Ｇ０，Ｂ１、遅延回路５３Ｒ，５３Ｇからの映像信号Ｒ１，Ｇ１、および遅延回路５４Ｒ，５４Ｇからの映像信号Ｒ２，Ｇ２が、イメージエンハンサ１００に供給されて、イメージエンハンサ１００において、後述するような構成および動作により、輪郭強調信号として、それぞれｆｓ２＝２ｆｓ１のクロックレートの、ガンマ・ニー補正前の映像信号に加算されるべきディテール信号ＢＧＤ、ガンマ・ニー補正後の映像信号に加算されるべきディテール信号ＡＧＤ、およびビューファインダ用の映像信号に加算されるべきディテール信号ＶＦＤが生成される。
【００３３】
この場合、映像信号Ｒ１，Ｇ１，Ｂ１が特定色検出回路６１に供給されて、特定色検出回路６１から人の肌の色などの特定色の画像部分を示す特定色検出信号ＳＴＡが得られ、その特定色検出信号ＳＴＡがイメージエンハンサ１００に供給される。特定色検出信号ＳＴＡは、複数ビットとされるが、特定色の画像部分では、その値が最小値とされ、特定色以外の画像部分では、その値が最大値とされる。
【００３４】
また、制御部３０に対してインタフェース回路６５が接続されて、そのインタフェース回路６５から各種のコントロールポートデータが得られ、そのコントロールポートデータがイメージエンハンサ１００の後述する各部に供給される。
【００３５】
ｆｓ１＝１４．３ＭＨｚまたはｆｓ１＝１８ＭＨｚのクロックレートのディジタル化された映像信号Ｒ１，Ｇ１，Ｂ１は、アップコンバータ７１Ｒ，７１Ｇ，７１Ｂによって、クロックレートがｆｓ１からｆｓ２＝２ｆｓ１に、すなわちＣＣＤ固体撮像素子１４Ｒ，１４Ｇ，１４Ｂの画素数に応じてｆｓ２＝２８．６ＭＨｚまたはｆｓ２＝３６ＭＨｚに変換される。
【００３６】
このアップコンバータ７１Ｒ，７１Ｇ，７１Ｂからのｆｓ２のクロックレートの映像信号は、マスキング回路７２において、色補正などの処理がなされる。
【００３７】
そして、加算回路７３Ｒ，７３Ｇ，７３Ｂにおいて、マスキング回路７２からのＲ，Ｇ，Ｂチャンネルの映像信号に対してイメージエンハンサ１００からのディテール信号ＢＧＤが加算され、その加算後のＲ，Ｇ，Ｂチャンネルの映像信号が、ガンマ・ニー補正回路７４Ｒ，７４Ｇ，７４Ｂにおいて、ガンマ・ニー補正される。
【００３８】
さらに、加算回路７５Ｒ，７５Ｇ，７５Ｂにおいて、ガンマ・ニー補正回路７４Ｒ，７４Ｇ，７４Ｂからのガンマ・ニー補正後のＲ，Ｇ，Ｂチャンネルの映像信号に対してイメージエンハンサ１００からのディテール信号ＡＧＤが加算される。
【００３９】
そして、マトリクス回路７６において、加算回路７５Ｒ，７５Ｇ，７５ＢからのＲ，Ｇ，Ｂチャンネルの映像信号から、輝度信号Ｙ、赤色差信号Ｃｒ、青色差信号Ｃｂ、およびビューファインダ用の輝度信号Ｙｖｆが作成される。
【００４０】
マトリクス回路７６からの輝度信号Ｙ、赤色差信号Ｃｒ、青色差信号Ｃｂは、ブランキング回路７７Ｒ，７７Ｇ，７７Ｂによって、ブランキング処理される。
【００４１】
図では省略しているが、ブランキング処理後は、用途に応じて、例えばカメラ出力用には、輝度信号Ｙ、赤色差信号Ｃｒ、青色差信号Ｃｂから、エンコーダによって、コンポジット映像信号が形成され、例えばＶＴＲでの記録用には、輝度信号Ｙ、赤色差信号Ｃｒ、青色差信号Ｃｂが、レートコンバータによって、ｆｓ２より低いクロックレートの信号に変換されて取り出される。
【００４２】
また、加算回路８１において、マトリクス回路７６からのビューファインダ用の輝度信号Ｙｖｆにイメージエンハンサ１００からのディテール信号ＶＦＤが加算され、その加算回路８１からの、ディテール信号ＶＦＤの加算後の輝度信号が、ブランキング回路７７Ｒ，７７Ｇ，７７Ｂによりブランキング処理され、さらにＤ／Ａコンバータ８３によりＤ／Ａ変換されて、ビューファインダ９０に供給される。
【００４３】
図３は、上記のイメージエンハンサ１００の一例の全体構成を示し、この例のイメージエンハンサ１００は、コムフィルタ１１０、高域アパーチャフィルタ１２０、水平ディテールフィルタ１３０、垂直ディテールフィルタ１４０、エッジ検出部１５０、ゲイン設定部１７０、ゲイン調整部１８０、およびディテール混合部１９０を備える。
【００４４】
コムフィルタ１１０は、ディジタル化されたＲチャンネルの映像信号Ｒ０，Ｒ１，Ｒ２およびＧチャンネルの映像信号Ｇ０，Ｇ１，Ｇ２から、ライン間演算によって、高域アパーチャ（最高域の水平ディテール）用の信号ＧＲ、高域から低域までの水平ディテール用の信号ＹＣＯＭＢ、および垂直ディテール用の信号ＣＣＯＭＢを出力するものである。
【００４５】
高域アパーチャ用の信号ＧＲは、式（１）で表されるように、Ｇチャンネルのコムフィルタ出力とＲチャンネルのコムフィルタ出力とをｆｓ１のクロックでマルチプレックスした信号である。
【００４６】
ＧＲ＝Ｋｇｒ×ＭＰＸ〔｛（Ｇ１／２）＋（Ｇ０＋Ｇ２）／４｝×（１＋Ｋｇ）．｛（Ｒ１／２）＋（Ｒ０＋Ｒ２）／４｝×（１＋Ｋｒ）＋Ｂ１×Ｋｂ〕…（１）
係数Ｋｇｒ，Ｋｇ，Ｋｒ，Ｋｂは、上記のコントロールポートデータの値によって選択されるもので、係数Ｋｂに応じて、Ｒチャンネルのコムフィルタ出力にＢチャンネルの映像信号Ｂ１を加算することができる。
【００４７】
ただし、これは、コントロールポートデータのある１ビットであるデータＡＰＣＯＭＢが０のときで、データＡＰＣＯＭＢが１のときには、信号ＧＲとして、コムフィルタを通らないＧ，Ｒチャンネルの映像信号Ｇ１，Ｒ１をダイレクトにマルチプレックスした信号を出力する。
【００４８】
高域から低域までの水平ディテール用の信号ＹＣＯＭＢは、式（２）で表されるように、Ｇチャンネルのコムフィルタ出力とＲチャンネルのコムフィルタ出力とをｆｓ１のクロックでマルチプレックスした信号、すなわちデータＡＰＣＯＭＢが１のときの信号ＧＲと同じ信号である。
【００４９】
ＹＣＯＭＢ＝Ｋｙ×ＭＰＸ〔｛（Ｇ１／２）＋（Ｇ０＋Ｇ２）／４｝×（１＋Ｋｇ）．｛（Ｒ１／２）＋（Ｒ０＋Ｒ２）／４｝×（１＋Ｋｒ）＋Ｂ１×Ｋｂ〕…（２）
係数Ｋｙは、コントロールポートデータの値によって選択される。
【００５０】
垂直ディテール用の信号ＣＣＯＭＢは、式（３）で表されるように、Ｇ，Ｒチャンネルの映像信号のライン間演算によって生成される。ただし、Ｇチャンネルの信号は、（１０１）構成のローパスフィルタを通じて取り出される。
【００５１】
ＣＣＯＭＢ＝｛（Ｇ１／２）−（Ｇ０＋Ｇ２）／４｝×ＬＰＦ（１０１）×（１／２）＋（１＋Ｋｃ）×｛（Ｒ１／２）−（Ｒ０＋Ｒ２）／４｝    …（３）
係数Ｋｃは、コントロールポートデータの値によって選択される。
【００５２】
高域アパーチャフィルタ１２０は、コムフィルタ１１０からの信号ＧＲから、最高域の水平ディテール信号である高域アパーチャ信号ＡＰＴを生成するハイパスフィルタで、コントロールポートデータの値によって、式（４）〜（７）で示す４つのフィルタ構成を選択することができる。
【００５３】
ＡＰＴ＝ＧＲ×（−１０２０−１）×（−１０２０−１）  …（４）
ＡＰＴ＝ＧＲ×（−１０２０−１）×（−１２−１）      …（５）
ＡＰＴ＝ＧＲ×（−１０２０−１）×（−４７−４）      …（６）
ＡＰＴ＝ＧＲ×（−１０２０−１）                      …（７）
この場合のフィルタ特性は、それぞれ図４の実線１ａ、長破線１ｂ、一点鎖線１ｃ、短破線１ｄのようになる。
【００５４】
水平ディテールフィルタ１３０は、コムフィルタ１１０からの信号ＹＣＯＭＢから、それぞれ高域、中高域、中域、低域の水平ディテール信号Ｈ，ＭＨ，Ｍ，Ｌを生成するハイパスフィルタで、式（８）〜（１１）で示すフィルタ構成のものである。
【００５５】
Ｈ＝ＹＣＯＭＢ×（−１０２０−１）×（５８５）×（５６５）×（−１２−１）  …（８）
ＭＨ＝ＹＣＯＭＢ×（−１０２０−１）×（５８５）×（５６５）  …（９）
Ｍ＝ＹＣＯＭＢ×（−１０２０−１）×（５８５）×（１１１）×（１１１）  …（１０）
Ｌ＝ＹＣＯＭＢ×（−１０２０−１）×（５８５）×（１１１）×（１０１）×（１０１）  …（１１）
それぞれのフィルタ特性は、図５の一点鎖線２ａ、短破線２ｂ、長破線２ｃ、実線２ｄのようになる。
【００５６】
垂直ディテールフィルタ１４０は、コムフィルタ１１０からの信号ＣＣＯＭＢから、垂直ディテール信号ＶＤＴＬとクロスカラー圧縮信号ＣＣＳを生成するもので、この例のビデオカメラの特徴とする部分の一つである。
【００５７】
図６は、この垂直ディテールフィルタ１４０の一例を示し、コムフィルタ１１０からの信号ＣＣＯＭＢが、一方で、水平方向のローパスフィルタ１４１および１４２を通じた後、垂直ディテール圧縮回路１４３により圧縮され、さらにゲイン調整回路１４４ａ，１４４ｂによりゲイン調整されて、垂直ディテール信号ＶＤＴＬが生成される。
【００５８】
一例として、ローパスフィルタ１４１は（１０２０１）構成とされ、ローパスフィルタ１４２は（１０００２０００１）構成とされる。したがって、垂直ディテール信号ＶＤＴＬは、式（１２）で表される。
【００５９】
ＶＤＴＬ＝ＣＣＯＭＢ×〔（１０２０１）×（１０００２０００１）×Ｖｓ〕×Ｖａ×Ｖｂ  …（１２）
ただし、Ｖｓは垂直ディテール圧縮回路１４３での圧縮率、Ｖａ，Ｖｂはゲイン調整回路１４４ａ，１４４ｂでのゲインである。
【００６０】
ゲインＶａは、コントロールポートデータＶＧ１の値によって、例えば０から１までの間で２５６段階に調整され、ゲインＶｂは、コントロールポートデータＶＧ２の値によって、例えば０，１／２，１，２のいずれかに設定される。
【００６１】
上記のように、クロックレートｆｓ１はＣＣＤ固体撮像素子１４Ｒ，１４Ｇ，１４Ｂの画素数に応じてｆｓ１＝１４．３ＭＨｚまたはｆｓ１＝１８ＭＨｚに切り替えられる。これに対して、ローパスフィルタ１４１および１４２の特性は変わらない。したがって、ローパスフィルタ１４１および１４２の合成特性は、ＣＣＤ固体撮像素子１４Ｒ，１４Ｇ，１４Ｂが４０万画素で、ｆｓ１＝１４．３ＭＨｚのときにも、ＣＣＤ固体撮像素子１４Ｒ，１４Ｇ，１４Ｂが５０万画素で、ｆｓ１＝１８ＭＨｚのときにも、図７の実線３のようになる。
【００６２】
垂直ディテール圧縮回路１４３の圧縮特性は、図８に示すように、入力レベルの正側の３点Ｖａｐ，Ｖｂｐ，Ｖｃｐおよび負側の３点Ｖａｍ，Ｖｂｍ，Ｖｃｍの前後において、入力レベルに対する出力レベルの傾きが変化するものとされる。
【００６３】
点Ｖａｐ，Ｖｂｐ，Ｖｃｐ，Ｖａｍ，Ｖｂｍ，Ｖｃｍは、それぞれコントロールポートデータの値によって、互いに独立に、０％〜１１０％の範囲で２５６段階に変えられる。また、別のコントロールポートデータの値によって、点Ｖｃｐ以上および点Ｖｃｍ以下の領域での傾きを１／８と１のいずれかに選択できるものとされる。
【００６４】
垂直ディテールフィルタ１４０では、コムフィルタ１１０からの信号ＣＣＯＭＢが、他方で、上記のローパスフィルタ１４１を通じた後、水平方向のハイパスフィルタ１４５および１４６を通じることによって、垂直ディテール信号中の副搬送波周波数成分が取り出される。一例として、ハイパスフィルタ１４５は（−１０００２０００−１）構成とされ、ハイパスフィルタ１４６は（−１０２０−１）構成とされる。
【００６５】
ただし、１ビットのコントロールポートデータＶＬの値が０であるか１であるかに応じて、セレクタ１４７により、ハイパスフィルタ１４６の出力信号とハイパスフィルタ１４５の出力信号のいずれかが選択され、その選択された信号がゲイン調整回路１４８ａ，１４８ｂによりゲイン調整されて、クロスカラー圧縮信号ＣＣＳが生成される。
【００６６】
そして、ＣＣＤ固体撮像素子１４Ｒ，１４Ｇ，１４Ｂが４０万画素で、クロックレートｆｓ１が１４．３ＭＨｚとされる場合には、セレクタ１４７がハイパスフィルタ１４６の出力信号を選択し、ＣＣＤ固体撮像素子１４Ｒ，１４Ｇ，１４Ｂが５０万画素で、クロックレートｆｓ１が１８ＭＨｚとされる場合には、セレクタ１４７がハイパスフィルタ１４５の出力信号を選択する。したがって、クロスカラー圧縮信号ＣＣＳは、ＣＣＤ固体撮像素子１４Ｒ，１４Ｇ，１４Ｂが４０万画素で、ｆｓ１＝１４．３ＭＨｚのときには、式（１３）で表され、ＣＣＤ固体撮像素子１４Ｒ，１４Ｇ，１４Ｂが５０万画素で、ｆｓ１＝１８ＭＨｚのときには、式（１４）で表される。
【００６７】
ＣＣＳ＝ＣＣＯＭＢ
×〔（１０２０１）×（−１０００２０００−１）×（−１０２０−１）〕×Ｃａ×Ｃｂ  …（１３）
ＣＣＳ＝ＣＣＯＭＢ×〔（１０２０１）×（−１０００２０００−１）〕×Ｃａ×Ｃｂ  …（１４）
ただし、Ｃａ，Ｃｂはゲイン調整回路１４８ａ，１４８ｂでのゲインである。
【００６８】
ゲインＣａは、コントロールポートデータＣＧ１の値によって、例えば０から１までの間で１６段階に調整され、ゲインＣｂは、コントロールポートデータＣＧ２の値によって、例えば０，１／２，１，２のいずれかに設定される。
【００６９】
このように、ｆｓ１＝１４．３ＭＨｚのときと、ｆｓ１＝１８ＭＨｚのときとで、垂直ディテールフィルタ１４０中の副搬送波周波数成分を抽出するフィルタ部の特性が切り替えられる結果、そのフィルタ部の特性は、ｆｓ１＝１４．３ＭＨｚのときには図７の長破線４ａで示すように、ｆｓ１＝１８ＭＨｚのときには図７の短破線４ｂで示すように、クロックレートがいずれのときにも、副搬送波周波数成分を最大で取り出すものとなる。
【００７０】
そして、図３のイメージエンハンサ１００においては、後述するように、この垂直ディテールフィルタ１４０からのクロスカラー圧縮信号ＣＣＳが、ディテール混合部１９０においてディテール信号から減算され、垂直ディテールフィルタ１４０中の、この副搬送波周波数成分を抽出するフィルタ部は、結果的にディテール信号中の副搬送波周波数成分を抑圧するフィルタとして作用する。
【００７１】
したがって、クロックレートがいずれのときにも、垂直ディテール信号中の副搬送波周波数成分が十分抑圧され、ビデオカメラの映像出力においてクロスカラー妨害が十分軽減される。
【００７２】
図３のイメージエンハンサ１００で、エッジ検出部１５０は、映像信号の画像エッジ部分を映像信号のバースト状にレベル変化する部分と区別して検出して、画像エッジ部分では水平ディテール信号に対するゲインを下げるような検出信号を生成するもので、この例のビデオカメラの特徴とする部分の一つである。
【００７３】
図９は、このエッジ検出部１５０の一例を示す。図３に示した水平ディテールフィルタ１３０においては、コムフィルタ１１０からの信号ＹＣＯＭＢがハイパスフィルタ１３１を通じることによって、信号ＹＣＯＭＢの高域成分ＦＩＬＨが取り出される。すなわち、図１１に示すような映像信号ＶＤＳから、その高域成分ＦＩＬＨが取り出される。
【００７４】
ここで、映像信号ＶＤＳ中の部分ＢＵは、バースト状にレベルが変化する部分（以下、バースト部分と称するが、もちろん色同期信号としてのバーストとは異なる）であり、部分ＥＤは画像のエッジ部分である。図１１および後述する図１４〜図１６では、映像信号ＶＤＳなどをアナログ波形で示すが、もちろん実際はディジタル化された状態で処理される。
【００７５】
図９のエッジ検出部１５０では、絶対値取出回路１５１により、ハイパスフィルタ１３１からの高域成分ＦＩＬＨの絶対値の信号ＡＢＳＯが得られ、その絶対値信号ＡＢＳＯが、Ｄフリップフロップ１５２によりラッチされる。
【００７６】
さらに、最大値選択回路１５３により、Ｄフリップフロップ１５２によりラッチされる前の信号とラッチされた後の信号のうちのいずれか大きい方が選択される。すなわち、図１１に示すように、１クロックごとに、絶対値取出回路１５１からの絶対値信号ＡＢＳＯの隣り合う２つのうちの大きい方が選択される。
【００７７】
最大値選択回路１５３により選択された絶対値信号ＭＡＸＯは、エッジ検出回路１６０に供給されて、エッジ検出回路１６０により、後述するように、映像信号ＶＤＳの画像エッジ部分ＥＤが、バースト部分ＢＵと区別されて検出される。
【００７８】
エッジ検出回路１６０からの検出信号ＤＥＴＯは、時間幅伸長回路１５４により、その時間幅が伸長され、その時間幅が伸長された検出信号ＥＸＰＯが、圧縮回路１５５に供給されて、後述するような特性でレベル圧縮される。そして、圧縮回路１５５からの検出信号が、反転回路１５６により反転され、その反転された検出信号が、ローパスフィルタ１５７を通じて、エッジ検出部１５０の出力のエッジ検出信号ＥＤＥＴとして取り出される。
【００７９】
図１０は、エッジ検出回路１６０の具体例を示し、最大値選択回路１５３からの絶対値信号ＭＡＸＯが、Ｄフリップフロップ１６１ａ〜１６１ｈにより順次、ラッチされ、最大値選択回路１６２により、Ｄフリップフロップ１６１ａ〜１６１ｃにラッチされる絶対値信号のうちの最大値の信号が選択されるとともに、最大値選択回路１６３により、Ｄフリップフロップ１６１ｆ〜１６１ｈにラッチされた絶対値信号のうちの最大値の信号が選択される。
【００８０】
さらに、最小値選択回路１６４により、最大値選択回路１６２からの絶対値信号と最大値選択回路１６３からの絶対値信号のうちのいずれか小さい方が選択されるとともに、最大値選択回路１６５により、最大値選択回路１６２からの絶対値信号と最大値選択回路１６３からの絶対値信号のうちのいずれか大きい方が選択される。
【００８１】
そして、コントロールポートデータの一つである選択信号ＳＥＬの値が０であるか１であるかに応じて、セレクタ１６６により、最小値選択回路１６４からの絶対値信号と最大値選択回路１６５からの絶対値信号のうちのいずれかが選択され、その選択された絶対値信号がＤフリップフロップ１６７によりラッチされる。
【００８２】
さらに、減算回路１６８において、Ｄフリップフロップ１６１ｅからの絶対値信号から、Ｄフリップフロップ１６７からの絶対値信号が減算され、その減算後の信号ＤＥＴＯが、エッジ検出回路１６０の出力の検出信号として取り出される。
【００８３】
このエッジ検出回路１６０では、減算回路１６８で最小値選択回路１６４からの最小値の絶対値信号が本線の絶対値信号から減算される最小値選択モードでは、検出信号ＤＥＴＯとして、バースト部分ＢＵの両端と画像エッジ部分ＥＤとにおいて絶対値信号が得られ、減算回路１６８で最大値選択回路１６５からの最大値の絶対値信号が本線の絶対値信号から減算される最大値選択モードでは、検出信号ＤＥＴＯとして、図１１に示すように画像エッジ部分ＥＤのみにおいて絶対値信号が得られる。
【００８４】
そして、図９のエッジ検出部１５０では、上述したように、エッジ検出回路１６０からの検出信号ＤＥＴＯが、時間幅伸長され、レベル圧縮され、反転され、ローパスフィルタ１５７を通じて、エッジ検出信号ＥＤＥＴとして取り出される。したがって、最大値選択モードでは、時間幅伸長回路１５４の出力信号ＥＸＰＯおよびエッジ検出信号ＥＤＥＴとして、図１１に示すようなものが得られる。ただし、時間幅伸長にあたっては、映像信号ＶＤＳないし高域成分ＦＩＬＨに対する相対的な位相調整がなされる。
【００８５】
圧縮回路１５５の圧縮特性は、一例として、図１２の実線で示すように、入力レベルの３点Ｅａ，Ｅｂ，Ｅｃにおいて、入力レベルに対する出力レベルの傾きが変化するものとされる。点Ｅａ，Ｅｂ，Ｅｃは、それぞれコントロールポートデータの値によって、互いに独立に変えられる。
【００８６】
圧縮回路１５５の圧縮特性が、このようにされることによって、エッジ検出信号ＥＤＥＴのゲイン特性は、図１２の破線で示すようになる。したがって、映像信号ＶＤＳが、図１４に示すようにバースト部分ＢＵを含み、かつ画像エッジ部分としてレベル差の異なるものを含むもので、これから生成されるディテール信号ＤＴＬＳが、同図に示すようなものとなるとき、エッジ検出信号ＥＤＥＴは、上記の最大値選択モードでは、同図に示すように、映像信号ＶＤＳのバースト部分ＢＵでは、ゲインが低下しないで一定で、画像エッジ部分では、ディテール信号ＤＴＬＳのレベルが大きいときほどゲインが小さいものとなる。
【００８７】
そして、図３のイメージエンハンサ１００においては、後述するように、このエッジ検出信号ＥＤＥＴが、ゲイン調整部１８０においてディテール信号に乗算される。したがって、ディテール信号は、画像エッジ部分において、図１３に示すような特性で圧縮される。
【００８８】
このようなエッジ検出信号によるディテール信号の制御を行わない場合には、映像信号のレベル変化が大きい所でディテール信号が大きくなるため、ディテール信号の加算後の映像信号がダイナミックレンジを超えて、図１５（Ａ）に示すようにクリップされ、画像上に額縁の縁状の、幅を持った輪郭を生じて、画像が見苦しくなることがある。
【００８９】
これに対して、上記のようにエッジ検出信号ＥＤＥＴによるディテール信号の制御を行う場合には、図１５（Ｂ）に示すようにディテール信号が、そのままの形で圧縮されるので、ディテール信号の加算後の映像信号がダイナミックレンジを超えてクリップされるようなことがなく、画像が見苦しくなることがない。
【００９０】
しかも、この場合、映像信号の画像エッジ部分を映像信号のバースト状にレベルが変化する部分と区別して検出して、実質的に画像エッジ部でのみディテール信号の制御を行うので、映像信号のバースト状にレベルが変化する部分には実質的に影響を及ぼさない。
【００９１】
図１６は、バースト部分ＢＵを有する場合につき、同様に、エッジ検出信号ＥＤＥＴによるディテール信号の制御を行わない場合（同図（Ａ））と、行う場合（同図（Ｂ））とを比較して示したものである。ただし、同図（Ｂ）は、上記の最小値選択モードとされて、バースト部分ＢＵの両端ではディテール信号が圧縮される場合である。
【００９２】
図３のイメージエンハンサ１００で、ゲイン設定部１７０は、ディテール信号に対するゲインを最終的に設定するとともに、本線の映像信号のレベルが小さいときにディテール信号のレベルを圧縮するもので、この例のビデオカメラの特徴とする部分の一つである。
【００９３】
図１７は、このゲイン設定部１７０の一例を示し、コムフィルタ１１０からの信号ＣＣＯＭＢがローパスフィルタ１７１を通じることによって、信号ＣＣＯＭＢの低域成分Ｓｉが取り出される。
【００９４】
このローパスフィルタ１７１からの低域成分Ｓｉは、その低域成分Ｓｉのレベルが小さいときにディテール信号のレベルを圧縮するためのレベルディペンド回路１７８に直接入力されずに、最小値取出回路１７３に入力されて、Ｄフリップフロップ１７４，１７５により順次、ラッチされる。
【００９５】
さらに、最小値取出回路１７３においては、最小値選択回路１７６により、Ｄフリップフロップ１７４によりラッチされる前の信号と、それぞれＤフリップフロップ１７４，１７５によりラッチされた後の信号との、三者の信号のうちの最小値の信号が選択される。
【００９６】
すなわち、低域成分Ｓｉが、図１８に入力信号Ｓｉとして示すように、１クロックごとに信号Ｓｉ１，Ｓｉ２，Ｓｉ３，Ｓｉ４，Ｓｉ５…と続くものであるとき、最小値取出回路１７３からは、信号Ｓｉ１，Ｓｉ２，Ｓｉ３のうちの最小値の信号Ｓｉ２が信号Ｓｍ１として取り出され、次に信号Ｓｉ２，Ｓｉ３，Ｓｉ４のうちの最小値の信号Ｓｉ２が信号Ｓｍ２として取り出され、次に信号Ｓｉ３，Ｓｉ４，Ｓｉ５のうちの最小値の信号Ｓｉ３が信号Ｓｍ３として取り出され、というように最小値の信号Ｓｍが取り出される。
【００９７】
したがって、最小値取出回路１７３の出力信号Ｓｍ中には、入力信号Ｓｉ中に存在する信号Ｓｉ４のようなレベルの大きい信号が存在しなくなる。そして、この最小値取出回路１７３の出力信号Ｓｍが、上記のレベルディペンド回路１７８に供給される。
【００９８】
レベルディペンド回路１７８の圧縮特性は、一例として、図１８の実線５中の折線部５ａで示すように、入力レベルの３点Ｌｂ，Ｌｃ，Ｌｄの前後において、入力レベルに対するゲインの傾きＫ１，Ｋ２，Ｋ３，Ｋ４が変化するものとされる。
【００９９】
ゲインがゼロとなる入力レベルＬａ、および上記の入力レベルＬｂ，Ｌｃ，Ｌｄは、それぞれコントロールポートデータの値によって設定される。また、別のコントロールポートデータの値によって、傾きＫ１〜Ｋ４を設定することができる。さらに、別のコントロールポートデータの値によって、このレベルディペンド回路１７８への入力信号Ｓｍに±７％のオフセットを付すことができ、これによって圧縮が効き始める入力レベルＬｅを変えることができる。また、別のコントロールポートデータの値によって、レベルディペンド回路１７８の出力信号Ｓｏにオフセットを付すことができ、これによってレベル圧縮が効く部分のディテール信号のゲインを調整することができる。
【０１００】
上記のように、最小値取出回路１７３の出力信号Ｓｍには、レベルの大きい信号が存在しなくなり、この最小値取出回路１７３の出力信号Ｓｍが、図１８のような圧縮特性を有するレベルディペンド回路１７８によりレベル圧縮される結果、レベルディペンド回路１７８の出力信号Ｓｏは、図１８に示すように、レベルの小さいものに揃うようになる。
【０１０１】
したがって、このレベルディペンド回路１７８の出力信号Ｓｏが、後述するように、ディテール信号に対するゲインとしてディテール信号に乗算されたとき、ディテール信号が大きく振れることがなく、カメラ出力に大きなノイズを生じることがない。
【０１０２】
図１７のゲイン設定部１７０においては、最小値選択回路１７９により、このレベルディペンド回路１７８の出力信号Ｓｏと、図９のエッジ検出部１５０からのエッジ検出信号ＥＤＥＴと、図１に示した特定色検出回路６１からの特定色検出信号ＳＴＡとの、三者の信号のうちの最小値の信号が、ディテール信号に対するゲインを設定するゲイン設定信号ＧＣＴＬとして、取り出される。
【０１０３】
ただし、上述したように、特定色検出信号ＳＴＡは特定色の画像部分では最小値のゼロとされるので、特定色の画像部分では、ゲイン設定信号ＧＣＴＬがゼロとなり、ディテール信号のゲインもゼロとなって、輪郭強調はなされない。
【０１０４】
図３のゲイン調整部１８０では、高域アパーチャフィルタ１２０からの高域アパーチャ信号ＡＰＴに対して、図１９（Ａ）に示すような特性のコア処理を施した後、ゲイン設定部１７０からのゲイン設定信号ＧＣＴＬを乗じて、高域アパーチャ信号ＨＡＰＴを生成する。
【０１０５】
また、ゲイン調整部１８０では、水平ディテールフィルタ１３０からの高域、中高域、低域の水平ディテール信号Ｈ，ＭＨ，Ｌを加算し、その加算後の信号に対して、図１９（Ｂ）に示すような特性のコア処理を施した後、ゲイン設定部１７０からのゲイン設定信号ＧＣＴＬを乗じて、低域アパーチャ信号ＬＡＰＴを生成する。
【０１０６】
さらに、ゲイン調整部１８０では、水平ディテールフィルタ１３０からの中高域、中域、低域の水平ディテール信号ＭＨ，Ｍ，Ｌと、垂直ディテールフィルタ１４０からの垂直ディテール信号ＶＤＴＬとを加算し、その加算後の信号に対して、図１９（Ｃ）に示すような特性のコア処理を施した後、ゲイン設定部１７０からのゲイン設定信号ＧＣＴＬを乗じて、ディテール信号ＤＴＬを生成する。
【０１０７】
また、ゲイン調整部１８０では、水平ディテールフィルタ１３０からの中高域の水平ディテール信号ＭＨまたは低域の水平ディテール信号Ｌと、垂直ディテールフィルタ１４０からの垂直ディテール信号ＶＤＴＬとを加算し、その加算後の信号に対して、図１９（Ａ）に示すような特性のコア処理を施した後、ゲイン設定部１７０からのゲイン設定信号ＧＣＴＬを乗じて、ビューファインダ用ディテール信号ＶＦＤを生成する。
【０１０８】
さらに、図３のディテール混合部１９０は、ゲイン調整部１８０からの低域アパーチャ信号ＬＡＰＴおよびディテール信号ＤＴＬを加算し、その加算後の信号から、垂直ディテールフィルタ１４０からのクロスカラー圧縮信号ＣＣＳを減算して、上述したようにガンマ・ニー補正前の映像信号に加算すべきディテール信号ＢＧＤを生成し、それを図２の加算回路７３Ｒ，７３Ｇ，７３Ｂに出力する。
【０１０９】
クロスカラー圧縮信号ＣＣＳは、ディテール混合部１９０において、（１２１）構成のローパスフィルタを通した後、（３／４）ｆｓ１および（５／４）ｆｓ１での膨らみを抑えるため、ｆｓ１＝１４．３ＭＨｚのときには（３４３）構成のローパスフィルタを、ｆｓ１＝１８ＭＨｚのときには（２３２）構成のローパスフィルタを、それぞれ通す。
【０１１０】
また、ディテール混合部１９０は、ゲイン調整部１８０からの高域アパーチャ信号ＨＡＰＴ、低域アパーチャ信号ＬＡＰＴおよびディテール信号ＤＴＬを加算して、上述したようにガンマ・ニー補正後の映像信号に加算すべきディテール信号ＡＧＤを生成し、それを図２の加算回路７５Ｒ，７５Ｇ，７５Ｂに出力する。低域アパーチャ信号ＬＡＰＴおよびディテール信号ＤＴＬは、そのゲインを調整する。
【０１１１】
上述した例は、ＮＴＳＣ方式用の場合であるが、この発明は、例えばＰＡＬ方式用の場合にも適用することができる。ＰＡＬ方式用の場合は、例えば、ＣＣＤ固体撮像素子１４Ｒ，１４Ｇ，１４Ｂが４０万画素のときにはｆｓ１＝１４．１７５ＭＨｚとし、ＣＣＤ固体撮像素子１４Ｒ，１４Ｇ，１４Ｂが５０万画素のときにはｆｓ１＝１８．００ＭＨｚとする。また、ＮＴＳＣ方式とＰＡＬ方式に共用とする場合にも、この発明を適用することができる。
【０１１２】
また、固体撮像素子の画素数の検知は、必ずしも撮像部のメモリから画素数の情報を取得する方法によらずに、それぞれの撮像部に設けられた電気的または機械的な検知手段によってもよい。
【０１１３】
さらに、例えば、ゲイン設定部１７０の最小値取出回路１７３は、隣り合う４画素分の信号のうちの最小値を取り出す構成とするなど、各部の具体的構成も、必ずしも図示したものに限らない。
【０１１４】
さらに、図示したカメラ本体２０の一部の回路を撮像部１０に組み込むなど、ビデオカメラとしての全体的な構成も、必ずしも、図示したものに限らない。
【０１１５】
【発明の効果】
上述したように、この発明によれば、撮像素子からの映像信号をディジタル化して処理する、業務用ビデオカメラなどのビデオカメラにおいて、固体撮像素子の画素数などに応じて映像信号のクロックレートを変える場合でも、常に垂直方向の輪郭強調信号中の副搬送波周波数成分が十分抑圧され、ビデオカメラの映像出力においてクロスカラー妨害が十分軽減される。
【図面の簡単な説明】
【図１】この発明のビデオカメラの一例の全体構成の一部を示すブロック図である。
【図２】この発明のビデオカメラの一例の全体構成の残部を示すブロック図である。
【図３】図１中のイメージエンハンサの一例を示すブロック図である。
【図４】図３中の高域アパーチャフィルタの特性例を示す図である。
【図５】図３中の水平ディテールフィルタの特性例を示す図である。
【図６】図３中の垂直ディテールフィルタの一例を示すブロック図である。
【図７】図６の垂直ディテールフィルタの特性を示す図である。
【図８】図６中の垂直ディテール圧縮回路の特性例を示す図である。
【図９】図３中のエッジ検出部の一例をブロック図である。
【図１０】図９中のエッジ検出回路の一例をブロック図である。
【図１１】エッジ検出の説明に供する波形を図である。
【図１２】エッジ検出の説明に供する特性を示す図である。
【図１３】エッジ検出の説明に供する特性を示す図である。
【図１４】エッジ検出の説明に供する波形を示す図である。
【図１５】エッジ検出の説明に供する波形を示す図である。
【図１６】エッジ検出の説明に供する波形を示す図である。
【図１７】図３中のゲイン設定部の一例を示すブロック図である。
【図１８】図１７中の最小値取出回路の説明に供する図である。
【図１９】図３中のディテール混合部の説明に供する図である。
【符号の説明】
１０…撮像部、１４Ｒ，１４Ｇ，１４Ｂ…ＣＣＤ固体撮像素子、２０…カメラ本体、１００…イメージエンハンサ、１４０…高域ディテールフィルタ、１４１…ローパスフィルタ、１４５，１４６…ハイパスフィルタ、１４７…セレクタ、１５０…エッジ検出部、１６０…エッジ検出回路、１７０…ゲイン設定部、１７３…最小値取出回路
【図１】
0003555639.tif 000002
【図２】
0003555639.tif 000003
【図３】
0003555639.tif 000004
【図４】
0003555639.tif 000005
【図５】
0003555639.tif 000006
【図６】
0003555639.tif 000007
【図７】
0003555639.tif 000008
【図８】
0003555639.tif 000009
【図９】
0003555639.tif 000010
【図１０】
0003555639.tif 000011
【図１１】
0003555639.tif 000012
【図１２】
0003555639.tif 000013
【図１３】
0003555639.tif 000014
【図１４】
0003555639.tif 000015
【図１５】
0003555639.tif 000016
【図１６】
0003555639.tif 000017
【図１７】
0003555639.tif 000018
【図１８】
0003555639.tif 000019
【図１９】
0003555639.tif 000020